(57)【要約】【課題】被検眼の画像を取得するための眼科撮影装置の新たな技術を提供する。【解決手段】眼科撮影装置は、照明系と、撮影系と、制御部とを含む。照明系は、照明光生成部を備える。照明光生成部は、少なくとも光束断面における光量分布を変更可能な照明光を生成する。照明系は、照明光で被検眼を照明する。撮影系は、被検眼からの照明光の戻り光を撮像装置に導く。制御部は、撮像装置により取得された画像を解析することにより前記画像中の注目領域を特定し、前記注目領域に含まれる部位に応じて、前記注目領域に対応する照明光の面内位置の光量を制御する。【選択図】図２
2020022854.tif 000002
【特許請求の範囲】
【請求項１】
照明光を生成する照明光生成部を備え、前記照明光で被検眼を照明する照明系と、
前記被検眼からの前記照明光の戻り光を撮像装置に導く撮影系と、
前記撮像装置により取得された画像を解析することにより前記画像中の注目領域を特定し、前記注目領域に含まれる部位に応じて、前記注目領域に対応する照明光の面内位置の光量を制御する制御部と、
を含む眼科撮影装置。
【請求項２】
前記照明光生成部は、任意に形状を変更可能な照明光を生成する
ことを特徴とする請求項１に記載の眼科撮影装置。
【請求項３】
前記照明光生成部は、任意に変更可能な照明パターンの光を出力可能なプロジェクタを含む
ことを特徴とする請求項１または請求項２に記載の眼科撮影装置。
【請求項４】
接眼レンズを備え、前記被検眼からの前記照明光の戻り光を前記接眼レンズに導く観察系と、
前記観察系の光路に前記撮影系の光路を結合する第１光路結合部材と
を含む
ことを特徴とする請求項１〜請求項３のいずれか一項に記載の眼科撮影装置。
【請求項５】
前記照明系の光路に前記撮影系の光路を結合する第２光路結合部材を含む
ことを特徴とする請求項１〜請求項３のいずれか一項に記載の眼科撮影装置。
【請求項６】
照明光を生成する照明光生成部を備え前記照明光で被検眼を照明する照明系と、前記被検眼からの前記照明光の戻り光を撮像装置に導く撮影系とを含む眼科撮影装置の制御方法であって、
前記撮像装置により前記被検眼の画像を取得する取得ステップと、
前記取得された画像を解析することにより前記画像中の注目領域を特定し、前記注目領域に含まれる部位に応じて、前記注目領域に対応する照明光の面内位置の光量を制御する制御ステップと、
を含む眼科撮影装置の制御方法。
【発明の詳細な説明】
【技術分野】
【０００１】
この発明は、眼科撮影装置、およびその制御方法に関する。
【背景技術】
【０００２】
眼科撮影装置は、被検眼の画像を取得するために用いられる。眼科撮影装置としては、細隙灯顕微鏡（スリットランプ）や眼底カメラなどが知られている。
【０００３】
眼科撮影装置は、一般的に、照明系と、撮影系とを含んで構成されている。照明系は、照明光で被検眼を照明する。撮影系は、被検眼からの照明光の戻り光を撮像装置に導く。眼科撮影装置は、撮像装置を用いて被検眼の画像を取得する。
【先行技術文献】
【特許文献】
【０００４】
【特許文献１】特開２０１４−１８８３３９号公報
【発明の概要】
【発明が解決しようとする課題】
【０００５】
従来の眼科撮影装置において、照明系は、被検眼の部位にかかわらず、光束断面内で光量が均一な照明光（すなわち、空間的に均一な照明光）で被検眼を照明する。それにより、部位ごとの反射率の違いにより白飛びや黒潰れが発生し、観察に好適な画像を取得することができない場合がある。
【０００６】
また、光束断面内で光量が均一な照明光で被検眼を照明するため、瞳孔に強い光が入射したときには被検者が眩しく感じ、被検者に不快感を与える場合がある。更に、縮瞳により被検眼の撮影や観察を続行することができなくなる場合がある。
【０００７】
この発明は、上記の課題を解決するためになされたものであり、その目的は、被検眼の画像を取得するための眼科撮影装置の新たな技術を提供することにある。
【課題を解決するための手段】
【０００８】
実施形態に係る眼科撮影装置は、照明系と、撮影系と、制御部とを含む。照明系は、照明光生成部を備える。照明光生成部は、少なくとも光束断面における光量分布を変更可能な照明光を生成する。照明系は、照明光で被検眼を照明する。撮影系は、被検眼からの照明光の戻り光を撮像装置に導く。制御部は、撮像装置により取得された画像を解析することにより前記画像中の注目領域を特定し、前記注目領域に含まれる部位に応じて、前記注目領域に対応する照明光の面内位置の光量を制御する。
実施形態に係る眼科撮影装置の制御方法は、取得ステップと、制御ステップとを含む。眼科撮影装置は、照明系と、撮影系とを含む。照明系は、照明光生成部を含む。照明光生成部は、少なくとも光束断面における光量分布を変更可能な照明光を生成する。照明系は、照明光で被検眼を照明する。撮影系は、被検眼からの照明光の戻り光を撮像装置に導く。取得ステップでは、撮像装置により被検眼の画像が取得される。制御ステップでは、取得された画像を解析することにより前記画像中の注目領域が特定され、前記注目領域に含まれる部位に応じて、前記注目領域に対応する照明光の面内位置の光量が制御される。
【発明の効果】
【０００９】
この発明によれば、被検眼の画像を取得するための眼科撮影装置の新たな技術を提供することが可能になる。
【図面の簡単な説明】
【００１０】
【図１】実施形態に係る眼科撮影装置の外観構成の一例を表す概略側面図である。
【図２】実施形態に係る眼科撮影装置の光学系の構成の一例を表す概略図である。
【図３】実施形態に係る眼科撮影装置の制御系の構成の一例を表す概略図である。
【図４】実施形態に係る眼科撮影装置の動作説明図である。
【図５】実施形態に係る眼科撮影装置の動作説明図である。
【図６】実施形態に係る眼科撮影装置の動作の一例を表すフロー図である。
【図７】実施形態に係る眼科撮影装置の光学系の構成の一例を表す概略図である。
【発明を実施するための形態】
【００１１】
この発明に係る眼科撮影装置の実施形態の一例について、図面を参照しながら詳細に説明する。なお、この明細書に記載された文献の記載内容を、以下の実施形態の内容として適宜援用することが可能である。
【００１２】
以下では、実施形態に係る眼科撮影装置として細隙灯顕微鏡を例に説明するが、実施形態に係る眼科撮影装置はこれに限定されない。この発明を適用可能な眼科撮影装置としては、細隙灯顕微鏡の他に、眼底カメラ、走査型レーザ検眼鏡（Ｓｃａｎｎｉｎｇ  Ｌａｓｅｒ  Ｏｐｈｔｈａｌｍｏｓｃｏｐｅ：ＳＬＯ）、レーザ光凝固装置などがある。また、実施形態に係る眼科撮影装置による撮影部位は、被検眼の任意の部位であってよく、たとえば、前眼部においては角膜や硝子体や水晶体や毛様体や隅角などであってよいし、後眼部においては網膜や脈絡膜や硝子体であってよい。また、撮影部位は、瞼や眼窩など眼の周辺部位であってもよい。
【００１３】
まず方向を定義しておく。装置光学系において最も被検者側に位置する光学素子から被検者に向かう方向を前方向とし、その逆方向を後方向とする。また、前方向に直交する水平方向を左右方向とする。更に、前後方向と左右方向の双方に直交する方向を上下方向とする。
【００１４】
〔第１実施形態〕
［外観構成］
この実施形態に係る細隙灯顕微鏡の外観構成について、図１を参照しながら説明する。細隙灯顕微鏡１には、コンピュータ１００が接続されている。コンピュータ１００は、各種の制御処理や演算処理を行う。なお、顕微鏡本体（光学系等を格納する筐体）とは別にコンピュータ１００を設ける代わりに、顕微鏡本体に同様のコンピュータを搭載した構成を適用することも可能である。
【００１５】
細隙灯顕微鏡１はテーブル２上に載置される。なお、コンピュータ１００は他のテーブル上またはその他の場所に設置されていてもよい。基台４は、移動機構部３を介して水平方向に移動可能に構成されている。基台４は、操作ハンドル５を傾倒操作することにより移動される。
【００１６】
基台４の上面には、観察系６および照明系８を支持する支持部１５が設けられている。支持部１５には、観察系６を支持する支持アーム１６が左右方向に回動可能に取り付けられている。支持アーム１６の上部には、照明系８を支持する支持アーム１７が左右方向に回動可能に取り付けられている。支持アーム１６、１７は、それぞれ独立に同軸で回動可能とされている。
【００１７】
観察系６は、支持アーム１６を手動で回動させることで移動される。照明系８は、支持アーム１７を手動で回動させることで移動される。なお、各支持アーム１６、１７は、電気的な機構によって回動されるように構成されていてもよい。その場合、各支持アーム１６、１７を回動させるための駆動力を発生するアクチュエータと、この駆動力を伝達する伝達機構とが設けられる。アクチュエータは、たとえばパルスモータにより構成される。伝達機構は、たとえば歯車の組み合わせやラック・アンド・ピニオンなどによって構成される。
【００１８】
照明系８は、照明光を生成し、生成された照明光で被検眼Ｅを照明する。照明系８は、前述のように、回動軸を中心に左右方向に振ることができる。それにより被検眼Ｅに対する照明光の照射方向が変更される。照明系８は上下方向にも振れるように構成されていてもよい。つまり、照明光の仰角や俯角を変更できるように構成されていてもよい。
【００１９】
観察系６は、被検眼Ｅからの照明光の反射光を案内する左右一対の光学系を有する。また、観察系６は、撮影系を含んで構成されている。この光学系は鏡筒本体９内に収納されている。撮影系の光路は、鏡筒本体９内で観察系６の光路に結合される。鏡筒本体９の終端は接眼部９ａである。検者は接眼部９ａをのぞき込むことで被検眼Ｅを肉眼で観察する。前述のように、支持アーム１６を回動させることにより鏡筒本体９を左右方向に回動させることができる。それにより被検眼Ｅに対する観察系６の向きを変更することができる。なお、照明光の反射光には、たとえば散乱光のように被検眼Ｅを経由した各種の光が含まれるが、これら各種の光を含めて「反射光」または「戻り光」と呼ぶことにする。また、照明光を励起光として用いる蛍光造影撮影や蛍光造影観察においては、励起光により発せられた蛍光が「反射光」または「戻り光」に含まれる。
【００２０】
鏡筒本体９に対峙する位置には顎受け台１０が配置されている。顎受け台１０には、被検者の顔を安定配置させるための顎受部１０ａと額当て１０ｂが設けられている。
【００２１】
鏡筒本体９の側面には、観察倍率を変更するための観察倍率操作ノブ１１が配置されている。更に、鏡筒本体９には、被検眼Ｅを撮影するための撮像装置１３が接続されている。撮像装置１３は撮像素子を含んで構成されている。撮像素子は、光を検出して電気信号（画像信号）を出力する光電変換素子である。画像信号はコンピュータ１００に入力される。撮像素子としては、たとえばＣＣＤ（Ｃｈａｒｇｅ  Ｃｏｕｐｌｅｄ  Ｄｅｖｉｃｅ）イメージセンサや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサが用いられる。照明系８の下方位置には、照明系８から出力される照明光束を被検眼Ｅに向けて反射するミラー１２が配置されている。
【００２２】
［光学系の構成］
細隙灯顕微鏡１の光学系の構成について、図２を参照しながら説明する。細隙灯顕微鏡１は、観察系６と、撮影系７と、照明系８とを有する。前述のように、観察系６は、撮影系７を含んで構成されている。
【００２３】
〔観察系〕
観察系６は左右一対の光学系を備えている。左右の光学系は、ほぼ同様の構成を有する。検者は、この左右の光学系により被検眼Ｅを双眼で観察することができる。なお、図２には、観察系６の左右の光学系の一方のみが示されている。符号Ｏ１は観察系６の光軸（観察光軸）、撮影系７の光軸（撮影光軸）である。
【００２４】
観察系６の左右の各光学系は、対物レンズ３１、変倍光学系３２、絞り３３、リレーレンズ３５、プリズム３６および接眼レンズ３７を有する。ビームスプリッタ３４は、左右の光学系の一方のみにまたは双方に設けられる。接眼レンズ３７は接眼部９ａ内に設けられている。符号Ｐは、接眼レンズ３７に導かれる光の結像位置を示している。符号Ｅｃは被検眼Ｅの角膜を、符号Ｅｐは虹彩を、符号Ｅｒは眼底をそれぞれ示している。符号Ｅｏは検者眼を示している。
【００２５】
変倍光学系３２は、複数（たとえば２枚）の変倍レンズ３２ａ、３２ｂを含んで構成される。この実施形態では、観察系６の光路に対して選択的に挿入可能な複数の変倍レンズ群が設けられている。これら変倍レンズ群は、それぞれ異なる倍率を付与するように構成されている。観察系６の光路に配置された変倍レンズ群が変倍レンズ３２ａ、３２ｂとして用いられる。それにより、被検眼Ｅの肉眼観察像や撮影画像の倍率（画角）を変更できる。倍率の変更、つまり観察系６の光路に配置される変倍レンズ群の切り替えは、観察倍率操作ノブ１１を操作することにより行われる。また、図示しないスイッチ等を用いて電動で倍率を変更するように構成してもよい。
【００２６】
ビームスプリッタ３４は、光軸Ｏ１に沿って進む光を二分割する。ビームスプリッタ３４を透過した光は、リレーレンズ３５、プリズム３６および接眼レンズ３７を介して検者眼Ｅｏに導かれる。プリズム３６は、２つの光学素子３６ａ、３６ｂを含み、光の進行方向を上方に平行移動させる。他方、ビームスプリッタ３４により反射された光は、撮影系７に導かれる。
【００２７】
〔撮影系〕
撮影系７は、リレーレンズ４１、ミラー４２、および撮像装置１３を有する。撮影系７は、ビームスプリッタ３４を更に含んで構成されていてもよい。前述のように、撮像装置１３は、撮像素子４３を含む。撮像素子４３の撮像面は、被検眼Ｅの撮影部位（観察部位）（すなわち、照明系８による照明光の照明位置）と光学的に略共役な位置に配置されている。
【００２８】
ビームスプリッタ３４により反射された光は、リレーレンズ４１およびミラー４２を介して、撮像装置１３の撮像素子４３に導かれる。撮像素子４３は、この反射光を検出して画像信号を生成する。
【００２９】
〔照明系〕
照明系８は、照明光生成部５１と、集光レンズ５５とを有する。符号Ｏ２は照明系８の光軸（照明光軸）を示す。
【００３０】
照明光生成部５１は、被検眼Ｅの撮影部位（すなわち、照明系８による照明光の照明位置）と光学的に略共役な位置に配置されている。たとえば、照明光生成部５１において生成される照明光の光源の瞳位置は、被検眼Ｅの撮影部位と光学的に略共役な位置に配置されている。
【００３１】
照明光生成部５１は、任意に形状を変更可能な照明光を生成する。照明光の形状は、光束の断面形状や投影像の形状により特定可能である。照明光生成部５１は、制御部１０１による制御に基づいて、スリット幅、細隙光の向き（スリットの向き）、細隙光の長さ、形状を任意に変更可能な照明光を細隙光として生成する。すなわち、照明光生成部５１は、所望の形状の照明光を細隙光として生成することができる。
【００３２】
照明光生成部５１は、たとえば、プロジェクタを含んで構成されている。プロジェクタは、任意に変更可能な照明パターンの光を照明光として出力可能である。照明パターンは、光束断面の形状、光束断面における光量の分布や色の分布などを表す。プロジェクタは、制御部１０１による制御に基づいてあらかじめ設定された照明パターンの光を出力する。それにより、プロジェクタは、スリット幅、細隙光の向き、細隙光の長さ、形状を任意に変更可能な照明光を細隙光として出力することができる。
【００３３】
照明パターンは、たとえば、後述の操作部１０４を用いてユーザが設定可能である。ユーザが操作部１０４を用いて、たとえば、形状パターン、外形、サイズなどを指定すると、制御部１０１は、指定された形状パターンなどに基づいて照明パターンを特定し、特定された照明パターンに基づいてプロジェクタを制御することが可能である。
【００３４】
プロジェクタは、デジタルマイクロミラーデバイスを用いた公知のプロジェクタであってよい。プロジェクタは、更に、光源を含んで構成されていてもよい。光源には、ＬＥＤ（Ｌｉｇｈｔ  Ｅｍｉｔｔｉｎｇ  Ｄｉｏｄｅ）光源やＲＧＢの各色成分の光を出力可能な光源などがある。プロジェクタは、更に、リレー光学系や、コリメータレンズや、投影レンズなどを含んで構成されてもよい。
【００３５】
また、プロジェクタは、ＬＣｏＳ（Ｌｉｑｕｉｄ  Ｃｒｙｓｔａｌ  ｏｎ  Ｓｉｌｉｃｏｎ）や、ＭＥＭＳ（Ｍｉｃｒｏ  Ｅｌｅｃｔｒｏ  Ｍｅｃｈａｎｉｃａｌ  Ｓｙｓｔｅｍｓ）を用いたものであってもよい。更に、プロジェクタは、液晶ディスプレイ（Ｌｉｑｕｉｄ  Ｃｒｙｓｔａｌ  Ｄｉｓｐｌａｙ：以下、ＬＣＤ）（透過型、反射型）を用いたものであってもよい。このような構成は公知であるため、詳細な説明を省略する。プロジェクタは、形状などを任意に変更可能な照明パターンに対応した照明光を出力可能なものであればよい。
【００３６】
なお、照明光生成部５１に、複数の光源を設けてもよい。この場合、照明光生成部５１は、複数の光源の点灯および非点灯を制御することにより、任意に形状を変更可能な照明光を生成することが可能である。それにより、照明光生成部５１は、所望の形状の照明光を細隙光として生成することができる。
【００３７】
制御部１０１は、撮像装置１３により取得された被検眼Ｅの画像における輝度分布に基づいて照明光生成部５１を制御することにより、光束断面内で照明光の光量分布を制御することが可能である。
【００３８】
制御部１０１は、特定部６０と、光量制御部７０とを含んで構成されている。特定部６０は、照明光生成部５１により生成された照明光の照明位置と、撮像装置１３を用いて取得された被検眼Ｅの画像との対応関係を特定する。光量制御部７０は、特定部６０によって特定された対応関係に基づいて照明光生成部５１を制御することにより照明光の光束断面内位置ごとに光量を制御する。特定部６０および光量制御部７０については、後述する。
【００３９】
ビームスプリッタ３４は、この実施形態に係る「第１光路結合部材」の一例である。
【００４０】
［制御系の構成］
細隙灯顕微鏡１の制御系について、図３を参照しながら説明する。細隙灯顕微鏡１の制御系は、制御部１０１を中心に構成されている。なお、図３には、この実施形態で特に注目する構成部位のみが記載されており、それ以外の構成部位は省略されている。
【００４１】
〔制御部〕
制御部１０１は、細隙灯顕微鏡１の各部を制御する。たとえば、制御部１０１は、観察系６の制御、撮影系７の制御、照明系８の制御、データ処理部１１０の制御などを行う。観察系６の制御としては、変倍光学系３２の制御、絞り３３の制御などがある。撮影系７の制御としては、撮像素子４３の電荷蓄積時間、感度、フレームレート等の制御などがある。照明系８の制御としては、照明光生成部５１の制御などがある。データ処理部１１０の制御としては、撮像素子４３により得られた画像信号に基づく画像の生成処理の制御、生成された画像の解析処理の制御などがある。また、制御部１０１は、記憶部１０２に記憶されたデータの読み出し処理や、記憶部１０２に対するデータの書き込み処理を行う。
【００４２】
前述のように、制御部１０１は、特定部６０と、光量制御部７０とを含む。
【００４３】
＜特定部＞
特定部６０は、照明光生成部５１により生成された照明光によって照明される位置と、被検眼Ｅに対して実際に照射された照明光による照明位置との対応関係を特定する。具体的には、特定部６０は、照明光生成部５１により生成された照明光の光束断面内位置（面内位置）と被検眼Ｅの画像における照明光の照明位置との対応関係を特定する。
【００４４】
特定部６０は、後述の面内パターン情報１０２ａにより表された面内パターン（ランドマーク、位置特定用パターン）を用いて前述の対応関係を特定することが可能である。面内パターンは、照明光による照明領域における照明光の強度情報の分布を示す。具体的には、面内パターンは、照明領域を分割することにより得られた複数の部分領域のそれぞれに強度情報が割り当てられた情報である。各部分領域は１以上の単位領域（１ピクセル、デジタルマイクロミラー１枚など）に対応する領域である。この実施形態に係る面内パターンは、矩形領域になるように分割された各部分領域に対して照明光のオンまたはオフを示す２値パターンであるものとする。
【００４５】
＜光量制御部＞
光量制御部７０は、特定部６０によって特定された対応関係に基づいて照明光生成部５１を制御することにより照明光の光束断面内位置ごと（単位領域ごと）に光量を制御する。たとえば、光量制御部７０は、特定部６０によって特定された対応関係に基づいて画像における照明光の照明位置ごとに制御情報を決定する。光量制御部７０は、決定された制御情報に基づいて照明光生成部５１を制御することにより光束断面内位置ごとに光量の制御を行う。
【００４６】
光量制御部７０は、制御テーブル情報１０２ｂにより表された制御情報を用いて前述の光量の制御を行うことが可能である。
【００４７】
図４に、この実施形態に係る制御テーブル情報１０２ｂの説明図を示す。図４において、横軸は被検眼Ｅの画像における階調値を示し、縦軸は照明光に対する制御情報を示す。階調値は、たとえば、面内パターンの各部分領域内の複数の画素の階調値の平均値を示す。階調値は、最小値「０」から最大値「Ｍ」（Ｍ＞０、Ｍは整数）の範囲の値である。この実施形態において、階調値は輝度値に対応している。階調値が大きい領域は明部であり、階調値が小さい領域は暗部である。
【００４８】
縦軸の「１倍」は、あらかじめ決められた基準光量の照明光を出力するための制御情報を示す。縦軸の「０．５倍」は、基準光量の０．５倍の光量の照明光を出力するための制御情報を示す。縦軸の「１．５倍」は、基準光量の１．５倍の光量の照明光を出力するための制御情報を示す。
【００４９】
また、縦軸は、現に適用されている照明光量を基準とした制御係数を表すものであってもよい。つまり、縦軸の「１倍」は、現在の照明光量の照明光を出力するための制御係数を制御情報として示すものであってもよい。この場合、縦軸の「０．５倍」は、現在の照明光量の０．５倍の光量の照明光を出力するための制御係数を示す。縦軸の「１．５倍」は、現在の照明光量の１．５倍の光量の照明光を出力するための制御係数を示す。すなわち、縦軸の「１倍」を超えた範囲は現在の照明光量を上げるための制御係数を示し、縦軸の「１倍」未満の範囲は現在の照明光量を下げるための制御係数を示す。
【００５０】
制御テーブル情報１０２ｂは、階調値がｍ１（０＜ｍ１＜Ｍ）以上である領域（すなわち、明部）の照明位置に対する照明光の光量を下げるように照明光生成部５１を制御するための制御情報を含む。したがって、階調値がｍ１未満で且つＭ以下の範囲では、照明光の光量が下がるように制御される。階調値ｍ１は、操作部１０４を用いてユーザが設定可能である。
【００５１】
また、制御テーブル情報１０２ｂは、階調値がｍ２（０＜ｍ２≦ｍ１＜Ｍ）以下である領域（すなわち、暗部）の照明位置に対する照明光の光量を上げるように照明光生成部５１を制御するための制御情報を含む。したがって、階調値が０以上で且つｍ２未満の範囲では、照明光の光量が上がるように制御される。階調値ｍ２は、操作部１０４を用いてユーザが設定可能である。
【００５２】
なお、図４において、階調値ｍ１は実施形態に係る「輝度値の第１閾値」の一例であり、階調値ｍ２は実施形態に係る「輝度値の第２閾値」の一例である。
【００５３】
制御部１０１は、マイクロプロセッサ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ハードディスクドライブ等のハードウェアを含んで構成される。このハードディスクドライブには、制御プログラムがあらかじめ記憶されている。制御部１０１の動作は、この制御プログラムと上記ハードェアとが協働することによって実現される。
【００５４】
制御部１０１は、細隙灯顕微鏡１の装置本体（たとえば基台４内）やコンピュータ１００に配置される。
【００５５】
〔データ処理部〕
データ処理部１１０は、撮像素子４３により得られた画像信号に基づいて画像を生成する。データ処理部１１０による画像の生成処理は公知の処理であるため、詳細な説明を省略する。データ処理部１１０は、画像信号に基づいて生成された画像に対して所定の解析処理を施すように構成されていてもよい。データ処理部１１０は、制御部１０１とともに細隙灯顕微鏡１の装置本体やコンピュータ１００に配置される。
【００５６】
〔記憶部〕
記憶部１０２には各種の情報が記憶される。特に、記憶部１０２には、面内パターン情報１０２ａと、制御テーブル情報１０２ｂとがあらかじめ記憶されている。
【００５７】
面内パターン情報１０２ａは、１以上の面内パターンを指定するための情報を含む。面内パターン情報１０２ａは、あらかじめ記憶部１０２に記憶されている。面内パターン情報１０２ａは、操作部１０４を用いることによりユーザが設定可能である。
【００５８】
制御テーブル情報１０２ｂは、光量制御部７０を制御するための１以上の制御情報を含む。制御テーブル情報１０２ｂは、あらかじめ記憶部１０２に記憶されている。制御テーブル情報１０２ｂは、操作部１０４を用いることによりユーザが設定可能である。
【００５９】
〔表示部〕
表示部１０３は、制御部１０１の制御を受けて各種の情報を表示する。表示部１０３は、ＬＣＤ等のフラットパネルディスプレイ、ＣＲＴディスプレイなどの任意の表示デバイスを含んで構成される。表示部１０３は、細隙灯顕微鏡１の装置本体に設けられていてもよいし、コンピュータ１００に設けられていてもよい。
【００６０】
〔操作部〕
操作部１０４は、操作デバイスや入力デバイスを含んで構成される。操作部１０４には、装置本体に設けられたボタンやスイッチ（たとえば操作ハンドル５等）や、コンピュータ１００のマウス、キーボードなどが含まれる。また、トラックボール、専用の操作パネル、スイッチ、ボタン、ダイアルなど、任意の操作デバイスや入力デバイスを用いることも可能である。
【００６１】
図３では、表示部１０３と操作部１０４とを別々に表しているが、これらを一体的に構成することも可能である。その具体例として、タッチパネル式のＬＣＤを用いることができる。
【００６２】
〔特定部６０および光量制御部７０による制御について〕
図５に、特定部６０および光量制御部７０の動作説明図を示す。図５では、説明の便宜上、照明光の照明領域を分割することにより得られた部分領域の座標位置を示すための座標情報が図示されている。ここで、複数の部分領域は、座標位置（１，１）〜（８，６）に配置されているものとする。以下、説明の便宜上、被検眼Ｅの眼底Ｅｒを照明する照明光に面内パターンが適用された場合について説明するが、細隙光に面内パターンが適用された場合も同様である。
【００６３】
被検眼Ｅの部位に応じて、当該部位に対する照明光の反射率が異なる。たとえば、図５に示すように、眼底Ｅｒでは、視神経乳頭が位置する視神経乳頭部Ｐ１に対する照明光の反射率は高く、網膜Ｐ２に対する照明光の反射率や中心窩が位置する黄斑部Ｐ３に対する照明光の反射率は低い。したがって、均一な光量分布を有する照明光で被検眼Ｅを照明すると、視神経乳頭部Ｐ１において白飛びや、網膜Ｐ２や黄斑部Ｐ３において黒潰れが発生し、観察に好適な画像を取得することができない場合がある。そこで、制御部１０１は、特定部６０および光量制御部７０において、次のように、被検眼Ｅの撮影部位に対する照明光の反射率を考慮して照明光の光量分布を制御する。
【００６４】
まず、光量制御部７０は、光束断面内で光量が均一な照明光Ｌ１で被検眼Ｅを照明する。たとえば、光量制御部７０は、光束断面内で光量が均一になるような面内パターンを用いて照明光生成部５１を制御することにより光束断面位置ごとに光量を制御する。それにより、照明光生成部５１は、座標位置（１，１）〜（８，６）の部分領域に対応する領域を均一の光量を有する照明光Ｌ１で照明する。撮像装置１３を用いて被検眼Ｅを撮影することにより、光量が均一な照明光Ｌ１で照明された被検眼Ｅの画像Ｇ１が取得される。
【００６５】
次に、光量制御部７０は、たとえば、図５に示すような面内パターンを用いて照明光生成部５１を制御することにより光束断面内位置ごとに光量を制御する。図５に示す面内パターンには、照明光で照明されない部分領域（白塗り領域）と、所定の基準光量の照明光で照明される部分領域（黒塗り領域）とが指定されている。それにより、照明光生成部５１は、図５に示すような光量分布を有する照明光Ｌ２で被検眼Ｅを照明する。撮像装置１３を用いて被検眼Ｅを撮影することにより、図５に示すような面内パターンが適用された照明光Ｌ２で照明された被検眼Ｅの画像Ｇ２が取得される。
【００６６】
画像Ｇ１は実施形態に係る「第１画像」の一例であり、画像Ｇ２は実施形態に係る「第２画像」の一例である。
【００６７】
画像Ｇ１の撮影条件および撮影部位は、画像Ｇ２の撮影条件および撮影部位と略一致することが望ましい。すなわち、画像Ｇ２は、画像Ｇ１が取得されたときと光束断面内で同一の光量分布を有する照明光を用いて同一の撮影部位について取得された画像であることが望ましい。
【００６８】
特定部６０は、照明光Ｌ１を用いて取得された画像Ｇ１と、既定の面内パターンを有する照明光Ｌ２を用いて取得された画像Ｇ２とに基づいて、前述の対応関係を特定する。画像Ｇ１と画像Ｇ２との差分は照明光Ｌ２に適用された面内パターンにほぼ相当するため、特定部６０は、画像Ｇ１と画像Ｇ２との差分を求め、求められた差分と前述の面内パターンとの位置関係を特定することにより、前述の対応関係を特定することが可能である。それにより、撮像装置１３を用いて取得された被検眼Ｅの画像を解析して画像中の特徴部位の位置を特定し、特定された特徴部位の位置に基づいて前述の対応関係を特定する場合に比べて、処理負荷を大幅に軽減することができる。
【００６９】
なお、前述の対応関係を特定するために、画像Ｇ１および画像Ｇ２について撮影条件および撮影部位を一致させた場合について説明するが、前述の対応関係が特定可能であれば、画像Ｇ１および画像Ｇ２について少なくとも撮影部位だけを一致させることが望ましい。
【００７０】
照明光Ｌ２に適用された面内パターンは、図５に示すように、少なくとも空間的に不規則的なパターン（不均一パターン、一様ではないパターン）を含む。それにより、画像Ｇ１と画像Ｇ２との差分と照明光Ｌ２に適用された面内パターンとの位置関係の特定を、容易に、且つ、高精度に行うことが可能になる。なお、面内パターンは、更に、時間的に不規則的なパターンであってもよい。
【００７１】
制御部１０１は、少なくとも所定の期間だけ面内パターンを有する照明光で被検眼Ｅを照明するように照明光生成部５１を制御することが可能である。所定の期間は、被検者が感知できない期間である。所定の期間は、操作部１０４を用いることによりユーザが設定可能である。それにより、被検者が面内パターンを感知することなく、前述の対応関係を特定することができる。この場合、制御部１０１は、被検眼Ｅに対する照明光の照明タイミングに同期して撮像装置１３を制御することにより、照明光で照明された被検眼Ｅの画像を取得することが可能である。
【００７２】
また、面内パターンを含む照明光は、不可視光であってよい。少なくとも面内パターンは、不可視光（たとえば、赤外光）により被検眼Ｅに投影されればよい。この場合でも、被検者が面内パターンを感知することなく、前述の対応関係を特定することができる。この場合、撮像装置１３は、前述の不可視光からの戻り光を検知可能な撮像素子を含んで構成される。
【００７３】
光量制御部７０は、特定部６０により特定された対応関係に基づいて、図４に示すような制御テーブル情報１０２ｂから部分領域ごとに制御情報を決定する。光量制御部７０は、決定された制御情報に基づいて照明光生成部５１を制御することにより光束断面内位置ごとに光量の制御を行う。
【００７４】
たとえば、視神経乳頭部Ｐ１に対応する座標位置（２，４）の近傍領域では照明光の反射率が高く白飛びが発生する場合がある。この実施形態では、図４に示すような制御テーブル情報１０２ｂから部分領域ごとに制御情報が決定されるので、図６に示すように座標位置（２，４）の近傍領域では光量を下げるように照明光生成部５１が制御される。
【００７５】
一方、黄斑部Ｐ３に対応する座標位置（５，４）の近傍領域では照明光の反射率が低く黒潰れが発生する場合がある。この実施形態では、図４に示すような制御テーブル情報１０２ｂから部分領域ごとに制御情報が決定されるので、図５に示すように座標位置（５，４）の近傍領域では光量を上げるように照明光生成部５１が制御される。撮像装置１３を用いて被検眼Ｅを撮影することにより、白飛びや黒潰れの発生を抑えつつ、観察に好適な被検眼Ｅの画像Ｇ３が取得される。画像Ｇ１に代えて画像Ｇ３を用いて上記の光量の制御を行うことにより、観察に好適なライブ画像の取得が可能になる。この場合、画像Ｇ３は実施形態に係る「第１画像」の一例である。
【００７６】
［動作例］
細隙灯顕微鏡１の動作について説明する。
【００７７】
図６に、細隙灯顕微鏡１の動作例のフロー図を示す。
【００７８】
（Ｓ１）
まず、制御部１０１は、記憶部１０２に記憶された面内パターン情報１０２ａを読み出す。光量制御部７０は、記憶部１０２から読み出された面内パターン情報１０２ａから光束断面内で光量が均一となるような面内パターンを特定する。光量制御部７０は、特定された面内パターンを用いて照明光生成部５１を制御することにより光束断面内位置ごとに光量を制御する。それにより、照明光生成部５１は、座標位置（１，１）〜（８，６）の部分領域に対応する領域を均一の光量を有する照明光Ｌ１で照明する。なお、面内パターンを適用することなく、複数の部分領域を光量が均一な照明光Ｌ１で照明してもよい。
【００７９】
（Ｓ２）
制御部１０１は、撮像装置１３を制御して被検眼Ｅを撮影させる。それにより、Ｓ１において光量が均一な照明光で照明された被検眼Ｅの画像Ｇ１が取得される。
【００８０】
（Ｓ３）
次に、光量制御部７０は、Ｓ１において記憶部１０２から読み出された面内パターン情報１０２ａから既定の面内パターンを特定する。この面内パターンには、照明光で照明されない部分領域と、所定の基準光量の照明光で照明される部分領域とが指定されている。たとえば、図５では、座標位置（２，１）の部分領域に対応する領域は照明されず、座標位置（３，１）の部分領域に対応する領域は基準光量の照明光で照明される。
【００８１】
光量制御部７０は、特定された面内パターンを用いて照明光生成部５１を制御することにより光束断面内位置ごとに光量を制御する。それにより、照明光生成部５１は、図６に示すような光量分布を有する照明光Ｌ２で被検眼Ｅを照明する。
【００８２】
（Ｓ４）
制御部１０１は、撮像装置１３を制御して被検眼Ｅを撮影させる。それにより、Ｓ３において面内パターンに対応した光量分布を有する照明光で照明された被検眼Ｅの画像Ｇ２が取得される。
【００８３】
（Ｓ５）
特定部６０は、照明光Ｌ１を用いて取得された画像Ｇ１と、既定の面内パターンを有する照明光Ｌ２を用いて取得された画像Ｇ２とに基づいて、前述の対応関係を特定する。
【００８４】
（Ｓ６）
光量制御部７０は、特定部６０により特定された対応関係に基づいて、図４に示すような制御テーブル情報１０２ｂから部分領域ごとに制御情報を決定する。
【００８５】
（Ｓ７）
光量制御部７０は、Ｓ６において決定された制御情報に基づいて照明光生成部５１を制御することにより光束断面内位置ごとに光量の制御を行う。
【００８６】
（Ｓ８）
制御部１０１は、撮像装置１３を制御して被検眼Ｅを撮影させる。それにより、Ｓ７において光量の制御が行われた照明光で照明されたことにより、白飛びや黒潰れの発生を抑えつつ、観察に好適な被検眼Ｅの画像Ｇ３が取得される。
【００８７】
（Ｓ９）
制御部１０１は、細隙灯顕微鏡１の動作を終了するか否かを判定する。たとえば、動作の終了は、操作部１０４を用いてユーザにより指示される。制御部１０１は、操作部１０４に対するユーザの操作内容に基づいて、細隙灯顕微鏡１の動作を終了するか否かを判定することが可能である。細隙灯顕微鏡１の動作を終了しないと判定されたとき（Ｓ９：Ｎ）、細隙灯顕微鏡１の動作はＳ３に移行する。したがって、その後のＳ５では、特定部６０は、Ｓ４において取得された画像Ｇ２とＳ８において取得された画像Ｇ３とを用いて前述の対応関係を特定することが可能である。それにより、被検眼Ｅのライブ画像に対する光量の制御をリアルタイムで実行することができる。
【００８８】
細隙灯顕微鏡１の動作を終了すると判定されたとき（Ｓ９：Ｙ）、細隙灯顕微鏡１の動作は終了する（エンド）。
【００８９】
図６において、Ｓ２、Ｓ４、Ｓ８は実施形態に係る「取得ステップ」の一例である。Ｓ５は実施形態に係る「特定ステップ」の一例である。Ｓ７は実施形態に係る「制御ステップ」の一例である。
【００９０】
［効果］
この実施形態に係る眼科撮影装置の効果について説明する。
【００９１】
実施形態に係る眼科撮影装置（たとえば、細隙灯顕微鏡１）は、照明系（たとえば、照明系８）と、撮影系（たとえば、撮影系７）と、制御部（たとえば、制御部１０１）とを含む。照明系は、照明光生成部（たとえば、照明光生成部５１）を備える。照明光生成部は、照明光を生成する。照明系は、照明光で被検眼（たとえば、被検眼Ｅ）を照明する。撮影系は、被検眼からの照明光の戻り光を撮像装置（たとえば、撮像装置１３）に導く。制御部は、撮像装置により取得された画像における輝度分布に基づいて照明光生成部を制御する。
【００９２】
このような構成によれば、撮像装置により取得された被検眼の画像の輝度分布に基づいて照明光制御部を制御するようにしたので、被検眼の画像の輝度分布に対応した光量分布を有する照明光で被検眼を照明することができる。それにより、被検眼の撮影部位に応じた照明光の反射に違いを考慮して変更された光量分布を有する照明光で被検眼を照明することで、観察に好適な被検眼の画像を取得することが可能になる。
【００９３】
また、制御部は、特定部（たとえば、特定部６０）と、光量制御部（たとえば、光量制御部７０）とを含んでもよい。特定部は、照明光生成部により生成された照明光の面内位置（たとえば、光束断面内位置）と画像における照明光の照明位置との対応関係を特定する。光量制御部は、特定部によって特定された対応関係に基づいて照明位置ごとに制御情報を決定し、決定された制御情報に基づいて照明光生成部を制御することにより面内位置ごとに光量を制御する。
【００９４】
このような構成によれば、上記の対応関係に基づいて照明光の面内位置ごとに光量を制御することで、照明系と撮影系との位置にかかわらず、被検眼の部位に対応した最適な光量で同時に被検眼を照明することができる。
【００９５】
また、光量制御部は、画像において輝度値が第１閾値以上である明部の照明位置に対する照明光の光量を下げるように光量の制御を行ってもよい。
【００９６】
このような構成によれば、被検眼の画像の明部に対応する照明位置に対する照明光の光量を下げるようにしたので、撮影系のダイナミックレンジを広げることができる。
【００９７】
また、光量制御部は、画像において輝度値が第２閾値以下である暗部の照明位置に対する照明光の光量を上げるように光量の制御を行ってもよい。
【００９８】
このような構成によれば、被検眼の画像の暗部に対応する照明位置に対する照明光の光量を上げるようにしたので、撮影系のダイナミックレンジを広げることができる。
【００９９】
また、特定部は、照明光を用いて取得された第１画像（たとえば、画像Ｇ１、Ｇ３）と、既定の面内パターンを有する照明光を用いて取得された第２画像（たとえば、画像Ｇ２）とに基づいて、対応関係を特定してもよい。
【０１００】
このような構成によれば、面内パターンを用いて上記の対応関係を特定するようにしたので、被検眼の画像を解析することにより対応関係を特定する場合に比べて、処理負荷を大幅に軽減することができる。
【０１０１】
また、面内パターンは、少なくとも空間的に不規則的なパターンを含んでもよい。
【０１０２】
このような構成によれば、面内パターンとして少なくとも空間的に不規則的なパターンを用いるようにしたので、上記の対応関係を高精度に特定することが可能になる。たとえば、面内パターンが適用された照明光で照明された被検眼の画像と、面内パターンが適用されない照明光で照明された被検眼との画像との差分は、面内パターンにほぼ相当する。当該差分と面内パターンとの位置関係の特定は、規則的な部分については一意に特定できない可能性があるが、不規則的な部分については一意に特定することが可能になる。そのため、面内パターンとして少なくとも空間的に不規則的なパターンを用いることにより、上記の対応関係を高精度に特定することができる。
【０１０３】
また、制御部は、少なくとも所定の期間だけ面内パターンを有する照明光で被検眼を照明するように照明光生成部を制御してもよい。
【０１０４】
このような構成によれば、少なくとも所定の期間だけ面内パターンを有する照明光で被検眼を照明するようにしたので、被検者に負担をかけることなく、上記の対応関係を特定することが可能になる。
【０１０５】
また、面内パターンを含む照明光は、不可視光であってもよい。
【０１０６】
このような構成によれば、面内パターンを有する照明光として不可視光で被検眼を照明するようにしたので、被検者に負担をかけることなく、上記の対応関係を特定することが可能になる。
【０１０７】
また、照明光生成部は、任意に形状を変更可能な照明光を生成してもよい。
【０１０８】
このような構成によれば、任意の形状に変更可能な照明光を細隙光として用いることができ、上記の効果を有する細隙灯顕微鏡の機能を実現することが可能になる。
【０１０９】
また、照明光生成部は、任意に変更可能な照明パターンの光を出力可能なプロジェクタを含んでもよい。
【０１１０】
このような構成によれば、プロジェクタにより照明光を出力するようにしたので、眼科撮影装置の構成および制御を簡素化することができる。
【０１１１】
また、実施形態に係る眼科撮影装置は、観察系（たとえば、観察系６）と、第１光路結合部材（たとえば、ビームスプリッタ３４）とを含んでもよい。観察系は、接眼レンズ（たとえば、接眼レンズ３７）を備える。観察系は、被検眼からの照明光の戻り光を接眼レンズに導く。第１光路結合部材は、観察系の光路に撮影系の光路を結合する。
【０１１２】
このような構成によれば、撮影系の光路と観察系の光路とを略同軸に配置できるので、接眼レンズで観察可能な被検眼と、撮像装置により取得された被検眼の画像とを略一致させることができる。
【０１１３】
また、実施形態に係る眼科撮影装置（たとえば、細隙灯顕微鏡１）の制御方法は、取得ステップ（たとえば、Ｓ２、Ｓ４、Ｓ８）と、制御ステップ（たとえば、Ｓ７）とを含む。眼科撮影装置は、照明系（たとえば、照明系８）と、撮影系（たとえば、撮影系７）とを含む。照明系は、照明光生成部（たとえば、照明光生成部５１）を備える。照明光生成部は、照明光を生成する。照明系は、照明光で被検眼（たとえば、被検眼Ｅ）を照明する。撮影系は、被検眼からの照明光の戻り光を撮像装置（たとえば、撮像装置１３）に導く。取得ステップでは、撮像装置により被検眼の画像が取得される。制御ステップでは、取得された画像における輝度分布に基づいて照明光生成部が制御される。
【０１１４】
〔第２実施形態〕
第１実施形態に係る細隙灯顕微鏡では撮影系の光路が観察系の光路に結合されている場合について説明したが、実施形態に係る細隙灯顕微鏡はこれに限定されるものではない。第２実施形態に係る細隙灯顕微鏡では、撮影系の光路が照明系の光路に結合されている。
【０１１５】
第２実施形態に係る細隙灯顕微鏡の構成は、第１実施形態とほぼ同様である。以下では、第２実施形態について、第１実施形態との相違点を中心に説明する。
【０１１６】
図７に、この実施形態に係る細隙灯顕微鏡の光学系の構成例を示す。図７において、図２と同様の部分には同一符号を付し、適宜説明を省略する。
【０１１７】
この実施形態に係る細隙灯顕微鏡１Ａの構成が図２に示す細隙灯顕微鏡１の構成と異なる点は、撮影系の光路が照明系の光路に結合された点である。細隙灯顕微鏡１Ａは、観察系６Ａと、撮影系７Ａと、照明系８Ａとを含んで構成されている。
【０１１８】
観察系６Ａは、観察系６と同様に左右一対の光学系を備えている。観察系６Ａの左右の各光学系は、対物レンズ３１、変倍光学系３２、絞り３３、リレーレンズ３５、プリズム３６および接眼レンズ３７を有する。なお、図７には、観察系６Ａの左右の光学系の一方のみが示されている。符号Ｏ１Ａは観察系６Ａの光軸（観察光軸）である。観察系６Ａは、鏡筒本体９Ａ内に配置されている。
【０１１９】
撮影系７Ａは、撮影系７と同様に、リレーレンズ４１、および撮像装置１３を有する。撮影系７Ａは、ビームスプリッタ３４Ａを更に含んで構成されていてもよい。符号Ｏ２Ａは撮影系７Ａの光軸（撮影光軸）、照明系８Ａの光軸（照明光軸）を示す。
【０１２０】
ビームスプリッタ３４Ａは、光軸Ｏ２Ａに沿って進む光を二分割する。ビームスプリッタ３４Ａにより反射された光は、リレーレンズ４１を介して、撮像装置１３の撮像素子４３に導かれる。撮像素子４３は、この反射光を検出して画像信号を生成する。ビームスプリッタ３４Ａに代えて、ダイクロイックミラーやハーフミラーが配置されていてもよい。
【０１２１】
照明系８Ａは、照明光生成部５１と、集光レンズ５５とを有する。照明系８Ａは、更にビームスプリッタ３４Ａを含んで構成されていてもよい。
【０１２２】
この実施形態に係る細隙灯顕微鏡１Ａの動作は、第１実施形態と同様であるため、説明を省略する。
【０１２３】
ビームスプリッタ３４Ａは、実施形態に係る「第２光路結合部材」の一例である。
【０１２４】
［効果］
この実施形態に係る眼科撮影装置の効果について説明する。
【０１２５】
実施形態に係る眼科撮影装置（たとえば、細隙灯顕微鏡１Ａ）は、第２光路結合部材（たとえば、ビームスプリッタ３４Ａ）を含む。第２光路結合部材は、照明系（たとえば、照明系８Ａ）の光路に撮影系（たとえば、撮影系７Ａ）の光路を結合する。
【０１２６】
このような構成によれば、撮影系の光路と照明系の光路とを略同軸に配置できるので、照明光の面内位置と被検眼の画像における照明光の照明位置との対応関係を精度よく特定可能となる。また、撮影系と照明系との位置を固定することができるので、この対応関係が一定となり、対応関係を特定する処理が不要になる。
【０１２７】
〔第３実施形態〕
第１実施形態または第２実施形態に係る細隙灯顕微鏡では、被検眼の画像の輝度分布に基づいて照明光の光量分布を制御する場合について説明したが、実施形態に係る細隙灯顕微鏡はこれに限定されるものではない。第３実施形態では、被検眼の画像における注目領域を特定し、特定された注目領域に対する照明光の光量を制御する。
【０１２８】
第３実施形態に係る細隙灯顕微鏡の構成は、第１実施形態または第２実施形態と同様である。以下では、第２実施形態について、第１実施形態との相違点を中心に説明する。
【０１２９】
この実施形態に係る制御部は、特定部において、撮像装置１３を用いて取得された被検眼Ｅの画像を解析することにより注目領域を特定する。注目領域は、あらかじめ決められている。注目領域は、操作部１０４を用いてユーザにより設定可能である。注目領域としては、瞳孔に対応する領域、角膜に対応する領域、視神経乳頭に対応する領域、網膜に対応する領域、黄斑部に対応する領域などがある。
【０１３０】
たとえば、特定部は、被検眼Ｅの画像に対してあらかじめ設定された１以上の特徴部位の位置情報に基づいて注目領域を特定することが可能である。特徴部位としては、虹彩、血管の走行状態、黄斑部などがある。特徴部位の位置情報は、あらかじめ決められていてもよいし、操作部１０４を用いてユーザにより設定されてもよい。また、特定部は、あらかじめ設定された形状パターンに基づくパターンマッチングにより被検眼Ｅの画像を探索することにより注目領域を特定するようにしてもよい。
【０１３１】
この実施形態に係る制御部は、光量制御部において、少なくとも特定部により特定された注目領域に対応する照明光の光束断面内位置（面内位置）の光量を制御する。
【０１３２】
たとえば、光量制御部は、注目領域に照射される照明光の光量を下げるように光量の制御を行う。それにより、特定部により特定された注目領域が瞳孔に対応する領域である場合、瞳孔に入射する照明光の光量を下げることができる。したがって、被検者に不快感を与えることがなくなる。また、縮瞳により観察を続行できなくなる事態を回避することができる。
【０１３３】
また、特定部により特定された注目領域が角膜や視神経乳頭に対応する領域である場合、観察に不要な角膜や視神経乳頭による照明光の反射に起因したアーチファクトを除去することが可能になる。
【０１３４】
また、光量制御部は、注目領域に照射される照明光の光量を上げるように光量の制御を行ってもよい。それにより、特定部により特定された注目領域が網膜や黄斑部に対応する領域である場合、網膜や黄斑部に照射される照明光の光量を上げることができる。したがって、画像の黒潰れの発生を防ぎ、観察に好適な画像の取得が可能になる。
【０１３５】
［効果］
この実施形態に係る眼科撮影装置の効果について説明する。
【０１３６】
実施形態に係る眼科撮影装置では、制御部は、特定部と、光量制御部とを含んでもよい。特定部は、画像を解析することにより注目領域を特定する。光量制御部は、少なくとも注目領域に対応する照明光の面内位置の光量を制御する。
【０１３７】
このような構成によれば、被検眼の画像において特定された注目領域に対する照明光の光量を制御するようにしたので、照明系と撮影系との位置にかかわらず、被検眼の部位に対応した最適な光量で同時に被検眼を照明することができる。
【０１３８】
また、注目領域は、瞳孔、角膜、または視神経乳頭に対応する画像中の領域であってもよい。光量制御部は、注目領域に照射される照明光の光量を下げるように光量の制御を行ってもよい。
【０１３９】
このような構成によれば、被検者に不快感を与えることがなくなる。また、縮瞳により観察を続行できなくなる事態を回避することができる。また、観察に不要な照明光の反射に起因したアーチファクトを除去することが可能になる。
【０１４０】
以上に説明した実施形態は、本発明を実施するための例示に過ぎない。本発明を実施しようとする者は、本発明の要旨の範囲内において任意の変形、省略、追加、置換等を施すことが可能である。
【符号の説明】
【０１４１】
１、１Ａ  細隙灯顕微鏡
６、６Ａ  観察系
７、７Ａ  撮影系
８、８Ａ  照明系
１２、４２  ミラー
１３  撮像装置
３１  対物レンズ
３２  変倍光学系
３３  絞り
３５、４１  リレーレンズ
３６  プリズム
３７  接眼レンズ
３４、３４Ａ  ビームスプリッタ
４３  撮像素子
５１  照明光生成部
６０  特定部
７０  光量制御部
１００  コンピュータ
１０１  制御部
１０２  記憶部
１０２ａ  面内パターン情報
１０２ｂ  制御テーブル情報
１０３  表示部
１０４  操作部
１１０  データ処理部
Ｅ  被検眼
【図１】
2020022854.tif 000003
【図２】
2020022854.tif 000004
【図３】
2020022854.tif 000005
【図４】
2020022854.tif 000006
【図５】
2020022854.tif 000007
【図６】
2020022854.tif 000008
【図７】
2020022854.tif 000009